(57)【要約】【課題】警告を受けた場合により高い選択自由度を持ってユーザが対処することができる車両の電源の残存容量不足警告装置を提供すること。【解決手段】本発明による残存容量不足警告装置１は、  内燃機関により駆動される車両に搭載される電源の残存容量の不足をユーザに警告する残存容量不足警告装置であって、  渋滞区間を検出する渋滞区間検出手段４と、前記渋滞区間を走行した場合の前記電源の残存容量を予測する残存容量予測手段３と、当該残存容量予測手段３により予測された前記渋滞区間を走行した場合の前記電源の残存容量が、前記車両が前記渋滞区間を脱出する前に所定値以下となる場合にユーザに警告を発する警告手段３とを備えることを特徴とする。【選択図】図１
2007276665.tif 000002
【特許請求の範囲】
【請求項１】
内燃機関により駆動される車両に搭載される電源の残存容量の不足をユーザに警告する残存容量不足警告装置であって、
渋滞区間を検出する渋滞区間検出手段と、前記渋滞区間を走行した場合の前記電源の残存容量を予測する残存容量予測手段と、当該残存容量予測手段により予測された前記渋滞区間を走行した場合の前記電源の残存容量が、前記車両が前記渋滞区間を脱出する前に所定値以下となる場合にユーザに警告を発する警告手段とを備えることを特徴とする残存容量不足警告装置。
【請求項２】
前記電源の前記渋滞区間進入直前若しくは直後の残存容量及び放電電流を検出する状態検出手段と、前記渋滞区間走行中の車速を検出する車速検出手段を備えるとともに、当該残存容量予測手段が、前記渋滞区間を走行した場合の前記電源の残存容量を、前記状態検出手段が検出した前記渋滞区間進入直前若しくは直後の残存容量から、前記渋滞区間を走行する時間に前記放電電流を乗じた値を減算することにより予測することを特徴とする請求項１に記載の残存容量不足警告装置。
【請求項３】
前記警告手段がユーザに警告を発する場合に、ユーザが採り得る選択肢として、前記電源の負荷のうち所定の負荷のオフ若しくは消費電力の低減、または、前記渋滞区間の回避することをユーザに提示する提示手段を備えることを特徴とする請求項１または２に記載の残存容量不足警告装置。
【請求項４】
前記提示手段が、前記電源の残存容量が所定値以下となる地点若しくは時間を提示することを特徴とする請求項１に記載の残存容量不足警告装置。
【請求項５】
前記提示手段が、ユーザが前記オフ若しくは前記低減のいずれかを行って前記渋滞区間を走行した場合の、前記電源の残存容量が所定値以下となる地点若しくは時間を提示することを特徴とする請求項３に記載の残存容量不足警告装置。
【請求項６】
前記警告手段がユーザに警告を発する場合に、前記渋滞区間の回避ルートを探索する探索手段を備えるとともに、前記渋滞区間の回避ルートをユーザに表示する表示手段を備えることを特徴とする請求項１ないし５のいずれか一項に記載の残存容量不足警告装置。
【請求項７】
前記表示手段が前記回避ルートは前記電源の残存容量不足を回避するためのものであることを明示することを特徴とする請求項６に記載の残存容量不足警告装置。
【請求項８】
前記警告手段がユーザに警告を発する場合に、前記電源の負荷のうち所定の負荷のオフを行うオフ手段を備えることを特徴とする請求項１ないし７のいずれか一項に記載の残存容量不足警告装置。
【請求項９】
前記オフ手段が前記所定の負荷のオフを行う前に、ユーザに当該オフの可否の判定を促す報知を行う報知手段と、当該報知に基づきユーザが前記オフ手段を機能させるか否かを選択可能な選択手段を備えることを特徴とする請求項８に記載の残存容量不足警告装置。
【請求項１０】
前記警告手段がユーザに警告を発する場合に、前記電源の負荷のうち所定の負荷の消費電力の低減を行う低減手段を備えることを特徴とする請求項１ないし９のいずれか一項に記載の残存容量不足警告装置。
【請求項１１】
前記低減手段が前記所定の負荷の消費電力の低減を行う前に、ユーザに当該低減の可否の判定を促す報知を行う付加報知手段と、当該報知に基づきユーザが前記低減手段を機能させるか否かを選択可能な付加選択手段を備えることを特徴とする請求項１０に記載の残存容量不足警告装置。
【発明の詳細な説明】
【技術分野】
【０００１】
本発明は、内燃機関により駆動される車両に搭載される電源の残存容量の不足を警告する装置に関する。
【背景技術】
【０００２】
一般に車両は、スタータモータ制御装置、灯具制御装置、エンジン制御装置等の安全走行に必須の車載機器と、エアコン装置やカーオーディオ装置あるいはカーナビゲーション装置などの快適性あるいは利便性のために供せられる車載機器とを搭載しており、これらの車載機器は、ともにバッテリ等の電源に接続され、当該バッテリは内燃機関により駆動される発電機つまりはオルタネータにより充電されている。
【０００３】
ところが、車両が渋滞区間を走行する場合には、オルタネータによる発電量が減り、バッテリから車載機器への放電量が多くなるため、バッテリの残存容量の不足が発生する。
【０００４】
このため、例えば、特許文献１に記載されたような車載電源監視装置が提案されている。この車載電源監視装置では、電源であるバッテリの電圧を監視して基準となる電圧と比較して、基準電圧よりもバッテリの電圧が低下する場合に、安全走行に必須でない車載機器つまりは重要度の低い負荷をユーザがオフすることを促すために警告を発することにより、バッテリの残存容量の不足を防止している。
【特許文献１】特開２００３−２４６２４６号公報
【発明の開示】
【発明が解決しようとする課題】
【０００５】
ところが、このような車載電源監視装置においては、ユーザに警告を発するタイミングが、バッテリの電圧が現実に低下してからであるため、バッテリの残存容量が不足した場合に、安全走行に必須でない車載機器つまりは重要度の低い負荷をオフすることしかユーザが採り得る選択肢がなく、警告を受けた場合の対処に対してユーザの選択自由度が低いという問題があった。
【０００６】
本発明は、上記問題に鑑み、警告を受けた場合により高い選択自由度を持ってユーザが対処することができる車両の電源の残存容量不足警告装置を提供することを目的とする。
【課題を解決するための手段】
【０００７】
上記の問題を解決するため、本発明による残存容量不足警告装置は、
内燃機関により駆動される車両に搭載される電源の残存容量の不足をユーザに警告する残存容量不足警告装置であって、
渋滞区間を検出する渋滞区間検出手段と、前記渋滞区間を走行した場合の前記電源の残存容量を予測する残存容量予測手段と、当該残存容量予測手段により予測された前記渋滞区間を走行した場合の前記電源の残存容量が、前記車両が前記渋滞区間を脱出する前に所定値以下となる場合にユーザに警告を発する警告手段とを備えることを特徴とする。
【０００８】
ここで、前記電源の前記渋滞区間進入直前若しくは直後の残存容量及び放電電流を検出する状態検出手段と、前記渋滞区間走行中の車速を検出する車速検出手段を備えるとともに、当該残存容量予測手段が、前記渋滞区間を走行した場合の前記電源の残存容量を、前記状態検出手段が検出した前記渋滞区間進入直前若しくは直後の残存容量から、前記渋滞区間を走行する時間に前記放電電流を乗じた値を減算することにより予測することが好ましい。これにより、より簡易な手法で前記渋滞区間を走行した場合の前記電源の残存容量を予測することができる。
【０００９】
さらに、前記警告手段がユーザに警告を発する場合に、ユーザが採り得る選択肢として、前記電源の負荷のうち所定の負荷のオフ若しくは消費電力の低減、または、前記渋滞区間の回避することをユーザに提示する提示手段を備えることが好ましい。これにより警告を発するだけでなく、ユーザに適切な対処方法を提示することができる。
【００１０】
加えて、前記提示手段が、前記電源の残存容量が所定値以下となる地点若しくは時間を提示することが好ましい。これにより、ユーザが前記オフ若しくは前記低減のいずれも行わなかった場合に、前記渋滞区間中のどこから前記所定の負荷のオフ若しくは低減を行えばよいかひいては当該渋滞区間中のどの区間で不便な状態を継続すればよいかを提示することができる。
【００１１】
さらに、前記提示手段が、ユーザが前記オフ若しくは前記低減のいずれかを行って前記渋滞区間を走行した場合の前記電源の残存容量が所定値以下となる地点若しくは時間を提示することが好ましい。これにより、ユーザに前記オフ若しくは前記低減による前記電源の残存容量不足の防止効果を認識させることができる。
【００１２】
加えて、前記警告手段がユーザに警告を発する場合に、前記渋滞区間の回避ルートを探索する探索手段を備えるとともに、前記渋滞区間の回避ルートをユーザに表示する表示手段を備えることが好ましい。これにより、ユーザが前記渋滞区間を回避する選択を行う場合に、具体的にどの回避ルートを選択すればよいかを表示することができる。
【００１３】
ここで、前記表示手段が前記回避ルートは前記電源の残存容量不足を回避するためのものであることを明示することが好ましい。これにより当該回避ルートが単なる渋滞区間回避ではないことをユーザに認識させることができる。
【００１４】
さらに、前記警告手段がユーザに警告を発する場合に、前記電源の負荷のうち所定の負荷のオフを行うオフ手段を備えることが好ましい。これにより、ユーザの操作の煩雑さを廃することができる。
【００１５】
ここで、前記オフ手段が前記所定の負荷のオフを行う前に、ユーザに当該オフの可否の判定を促す報知を行う報知手段と、当該報知に基づきユーザが前記オフ手段を機能させるか否かを選択可能な選択手段を備えることが好ましい。これにより、自動的に当該負荷をオフするかどうかについてユーザに選択肢を持たせてユーザの意思を尊重することができる。
【００１６】
あるいは、前記警告手段がユーザに警告を発する場合に、前記電源の負荷のうち所定の負荷の消費電力の低減を行う低減手段を備えることが好ましい。これによってもユーザの操作の煩雑さを廃することができる。
【００１７】
ここで、前記低減手段が前記所定の負荷の消費電力の低減を行う前に、ユーザに当該低減の可否の判定を促す報知を行う付加報知手段と、当該報知に基づきユーザが前記低減手段を機能させるか否かを選択可能な付加選択手段を備えることが好ましい。これによっても自動的に当該負荷の消費電力の低減を行うかどうかについてユーザに選択肢を持たせてユーザの意思を尊重することができる。
【発明の効果】
【００１８】
本発明によれば、電源の残存容量の不足についての警告を現実に当該残存容量が不足する前にユーザが受けることができるので、当該警告をユーザが受けた場合により高い選択自由度の対処を行うことができる。
【発明を実施するための最良の形態】
【００１９】
以下、本発明を実施するための最良の形態について、添付図面を参照しながら説明する。
【実施例１】
【００２０】
図１は、本発明に係る残存容量不足警告装置の一実施形態を示すブロック図であり、図２は本発明に係わる残存容量不足警告装置を適用可能な車両用電源システムを示す模式図である。
【００２１】
残存容量不足警告装置１は、図示しないエンジンにより駆動される車両に搭載されるバッテリの残存容量の不足をユーザに警告する残存容量不足警告装置であり、渋滞区間を検出する渋滞区間検出手段であるカーナビゲーションＥＣＵ２と、渋滞区間を走行した場合の前記電源の残存容量を予測する残存容量予測手段としての警告ＥＣＵ３とを備え、警告ＥＣＵ３は予測された渋滞区間を走行した場合のバッテリの残存容量が、車両が渋滞区間を脱出する前に所定値以下となる場合にユーザに警告を発する警告手段としても機能する。
【００２２】
カーナビゲーションＥＣＵ２にはＧＰＳ受信アンテナ４と、ＩＭＵ（イナーシャメジャメントユニット）５と、ステアリングセンサ６と、ディスプレイ７と、スピーカ８と、タッチパネル９と、受信器１０と、データベース１１が接続され、さらに、ＡＢＳ（アンチロックブレーキシステム）１２がＣＡＮあるいはＦｒｅｘＲａｙ等の通信規格により接続される。
【００２３】
警告ＥＣＵ３はＣＡＮあるいはＦｒｅｘＲａｙ等の通信規格により前述したカーナビゲーションＥＣＵ２に接続され、図示しないバッテリの状態（電圧、充放電電流、温度、残存容量）を検出する状態検出センサ１３が接続される。
【００２４】
状態検出センサ１３は、図２に示すような車両用電源システム１４を構成するバッテリ１５に設けられ、バッテリ１５の正極側には図示しないエンジンにより駆動されるオルタネータ１６が接続され、さらに、バッテリ１５の正極側には、負荷となる車載機器、例えば、エンジン制御装置１７、ヘッドライトやテールライト等の灯具制御装置１８、スタータモータ制御装置１９、カーオーディオ装置２０、エアコン装置２１、カーナビゲーション装置２２が接続される。なお各装置の接地側の図示は省略している。
【００２５】
ＧＰＳ（Global  Positioning  System：全地球測位システム）受信アンテナ４は、地球上空に打ち上げられた複数の軍事衛星の内三個の軍事衛星からの電波を受信し、これらの電波をもとに、カーナビゲーションＥＣＵ２は、三角測量の原理で自車の位置つまりは経度と緯度を測定する。なお、経度と緯度に加え高度も測定する場合には四個の軍事衛星を用いる。
【００２６】
ここで、ＩＭＵ５は車両のヨーレートを検出するものであり、ステアリングセンサ６は車両の操舵装置に設けられて操舵角を検出するものである。タッチパネル９はユーザが目的地等の探索条件を入力する入力装置であり、データベース１１はＣＤ−ＲＯＭやＤＶＤ−ＲＯＭ等の記憶媒体により構成され、表示用の地図情報と、探索用の地図情報を格納し記憶している。ディスプレイ７は入力された目的地をもとにカーナビゲーションＥＣＵ２が探索した探索ルートを表示用の地図情報とともに表示するものである。また、ＡＢＳ１２は制動時の車輪のロックを防止する装置であり、その制御に用いるための車速を図示しない車輪速センサから取得している。
【００２７】
さらに、受信器１０は光あるいは電波ビーコンに準拠したものであり、ＶＩＣＳ（Vehicle  Information  &  Communication  System：道路交通情報システム）からの道路情報を受信する。つまり受信器１０は渋滞区間検出手段として機能する。ＶＩＣＳは、警察が収集した一般路の情報と道路公団が収集した高速道路の情報がＶＩＣＳセンターに送られて、そこで編集された情報がＦＭ多重放送、電波ビーコンあるいは光ビーコンにより発信されるものである。ＶＩＣＳの発信する情報は渋滞情報（渋滞区間とその距離）が主であるが、自車の現在地からの所要時間、交通規制、速度規制、チェーン規制、駐車場情報、地震・津波などの緊急情報も含む。送信の方式としては、ＦＭ多重放送（ＮＨＫのＦＭを利用した広域通信方法）、電波ビーコン（主に高速道路に設置された通信方法）、光ビーコン（赤外線を利用した通信方法で主要一般道路に設置）という三つがあり、情報送信方法それぞれに異なる受信器が必要となるが、光あるいは電波ビーコンに準拠した受信器がないと、ＤＲＧ（Dynamic  Route  Guidance）という渋滞区間回避ルートの探索はできないため、受信器１０は前述したように光あるいは電波ビーコンに準拠したものとする。なお、ＶＩＣＳの発信する情報は、文字表示、簡易図形表示、地図表示の三方法により表示される。
【００２８】
上述したＧＰＳ受信アンテナ４を用いた自車の位置の測定は、軍事衛星からの電波を利用する特性上、高層ビルの谷間に自車が位置する場合やトンネル内を自車が走行している場合、あるいは、高架橋の下を自車が走行している場合などでは電波をＧＰＳ受信アンテナ４が受信できないため、自車の位置が測定できないという問題が生じる。このため、上述したようなＧＰＳ受信アンテナ４が電波を受信できない場合には、カーナビゲーションＥＣＵ２は、ＡＢＳ１２が検出した車速とＩＭＵ５が検出したヨーレート、ステアリングセンサ６が検出した操舵角をもとにして、自車の移動距離と方向を計算して自車の位置を測定し、ＧＰＳ受信アンテナ４を用いた自車の位置の測定と併せて、トータルの自車位置の測定の精度を高めている。なお、車速はＡＢＳ１２から取得することに限られず、例えばＶＳＣ（Vehicle  Dynamic  Control）やＥＣＢ（電子制御ブレーキ）などを搭載した車両であればそれらの装置から取得することも可能である。
【００２９】
そして、カーナビゲーションＥＣＵ２は、データベース１１内の表示用の地図情報と、上述した方法により測定した自車の位置と、タッチパネル９により入力された目的地と、受信器１０により受信した渋滞区間とを併せてディスプレイ７に表示する。
【００３０】
以上のように構成される残存容量不足警告装置１において、状態検出センサ１３がバッテリ１５の渋滞区間進入直前（図３（ａ））若しくは直後（図３（ｂ））の残存容量ｂ（Ａｈ）及び放電電流ｃ（Ａ）を検出し、ＡＢＳ１２が渋滞区間進入直前若しくは直後の車速ｖ（ｋｍ／ｈ）を渋滞区間走行中の車速と見なして検出して、警告ＥＣＵ３が、渋滞区間を走行した場合のバッテリ１５の残存容量ｄ（Ａｈ）を、状態検出センサ１３が検出した渋滞区間進入直前若しくは直後の残存容量ｂ（Ａｈ）と放電電流ｃ（Ａ）から予測する。図４に示すように、車両が渋滞区間に進入する時刻をｔ１、車両が渋滞区間から脱出する時刻をｔ２、時刻をｔとすると、残存容量ｄ（Ａｈ）はｄ＝ｂ−ｃ×（ｔ−ｔ１）で表される。ここで、残存容量ｄ（Ａｈ）が所定値ｅ（Ａｈ）となる時刻をｔｅとすると、ｔｅ−ｔ１＝（ｂ−ｅ）／ｃとなる。渋滞区間の走行時間ｔ２−ｔ１（ｈ）は受信器１０が受信した渋滞区間長ｋ（ｋｍ）を車速ｖ（ｋｍ／ｈ）で除した値ｋ／ｖ（ｈ）で計算される。つまり、ｔ２−ｔ１＝ｋ／ｖとなる。この二つの式からｔ１を消去すると、ｔｅ＝ｔ２＋（（ｂ−ｅ）／ｃ−ｋ／ｖ）となる。もちろん、予測方法はこれに限られず、残存容量ｂ（Ａｈ）の微分値により残存容量ｄ（Ａｈ）を予測してもよい。さらに渋滞区間走行中の車速は受信器１０から受信した渋滞情報に含まれる渋滞区間中に位置する他車の平均速度から推定してもよい。
【００３１】
こうして予測された時刻ｔｅが図４に示すように、時刻ｔ２以下となる場合、つまりは、渋滞区間を走行した場合のバッテリ１５の残存容量ｄ（Ａｈ）が、車両が渋滞区間を脱出する前に所定値ｅ（Ａｈ）以下となる場合には、警告手段としての警告ＥＣＵ３がカーナビゲーションＥＣＵ２を介して、スピーカ８から警報音を出力させて、ユーザに警告を発する。もちろん、時刻ｔｅが図５に示すように、時刻ｔ２より大きくなる場合は、渋滞区間を走行した場合のバッテリ１５の残存容量ｄ（Ａｈ）が、車両が渋滞区間を脱出する前に所定値ｅ（Ａｈ）以下とはならないので、警告ＥＣＵ３はユーザに対して警告は行わない。
【００３２】
加えて、警告ＥＣＵ３がスピーカ８によりユーザに警告を発する場合に、提示手段としてのカーナビゲーションＥＣＵ２が警告ＥＣＵ３の指令に基づき、ユーザが採り得る選択肢として、バッテリ１５の負荷のうち重要度の低い所定の負荷（例えば、カーオーディオ装置２０、エアコン装置２１、カーナビゲーション装置２２）のオフ若しくは消費電力の低減、渋滞区間の回避することをディスプレイ７による画像またはスピーカ８による音声を用いてユーザに提示する。
【００３３】
さらに、本実施例では以下のような制御を行う。これらを具体的なノード（地点）とリンク（経路）からなる経路図であるディスプレイ７の画面図６を用いて説明する。
【００３４】
図６中黒丸はノードを示し、実線はリンクを示す。図６に示すように、自車の測定した位置が地点Ａで、前述したタッチパネル９により入力した目的地が地点Ｂであるとした場合に、カーナビゲーションＥＣＵ２が最短距離あるいは最短時間の経路として経路ＡＣＤＥＦＧＨＩＢを探索して、ディスプレイ７に表示してユーザがそれに従って運転しており、受信器１０により受信した渋滞情報によれば当該最短経路の地点Ａから地点Ｉまでが渋滞区間であり、その渋滞区間をカーナビゲーションＥＣＵ２はディスプレイ７に例えば斜線にて表示している。
【００３５】
この場合において前述したように、警告ＥＣＵ３がユーザに警告を出しており、なおかつ、ユーザが前記オフあるいは前記低減のいずれも行わずに渋滞区間を走行しようとする場合に、カーナビゲーションＥＣＵ２が、バッテリ１５の残存容量が所定値ｅ（Ａｈ）以下となる地点Ｒ（あるいは現在時刻からの時間ｔ３）を予測して提示する。
【００３６】
例えば、状態検出センサ１３が検出したバッテリ１５の渋滞区間進入直前若しくは直後の残存容量がｂ（Ａｈ）で放電電流がｃ（Ａ）であり、ＡＢＳ１２が検出した渋滞区間進入直前若しくは直後の車速がｖ（ｋｍ／ｈ）である場合には、ｔ３＝（ｂ−ｅ）／ｃ（ｈ）となり、地点Ｒは自車位置からｖ×ｔ３（ｋｍ）進んだ地点として予測できる。
【００３７】
さらに、カーナビゲーションＥＣＵ２が、ユーザが前記オフ若しくは前記低減のいずれかを行って渋滞区間を走行しようとする場合に、バッテリ１５の残存容量が所定値ｅ（Ａｈ）以下となる地点Ｓ（あるいは現在時刻からの時間ｔ４）を提示する。
【００３８】
例えば、状態検出センサ１３が検出したバッテリ１５の渋滞区間進入直前若しくは直後の残存容量がｂ（Ａｈ）で、ユーザが前記オフ若しくは前記低減のいずれかを行った場合の状態検出センサ１３が検出した放電電流がｆ（Ａ）（つまりｆ＜ｃ）であり、ＡＢＳ１２が検出した渋滞区間進入直前若しくは直後の車速がｖ（ｋｍ／ｈ）である場合には、ｔ４＝（ｂ−ｅ）／ｆ（ｈ）となり、地点Ｒは自車位置からＶ×ｔ４（ｋｍ）進んだ地点として予測できる。
【００３９】
上述したことに加えて、警告ＥＣＵ３がユーザに警告を発する場合に、探索手段としてのカーナビゲーションＥＣＵ２が渋滞区間の回避ルートＡＣＪＫＬＯＰＱＢを探索するとともに、カーナビゲーションＥＣＵ２が表示手段としても機能して、ディスプレイ７により渋滞区間の回避ルートＡＣＪＫＬＯＰＱＢをユーザに例えば二重線にて表示する。
【００４０】
さらに、カーナビゲーションＥＣＵ２はディスプレイ７の画像あるいはスピーカ８による音声を用いて、前記回避ルートＡＣＪＫＬＯＰＱＢが前記電源の残存容量不足を回避するためのものであることを明示する。
【００４１】
以上述べた本発明による残存容量不足警告装置の制御内容を図７に示すフローチャートを用いて説明する。
【００４２】
Ｓ１において、警告ＥＣＵ３が車速を検出し、Ｓ２においてカーナビゲーションＥＣＵ２が渋滞区間を検出し、Ｓ３においてカーナビゲーションＥＣＵ２が自車の位置を測定する。Ｓ４において自車の位置と渋滞区間および車速から、自車が渋滞区間を走行中であるかを判定し、走行中であればＳ５にすすみ、走行中でなければ制御を終了する。Ｓ５において、警告ＥＣＵ３がバッテリ１５の残存容量を検出し、Ｓ６においてバッテリ１５の放電電流を検出した後、Ｓ７において警告ＥＣＵ３が上述した方法を用いて渋滞区間走行中のバッテリ１５の残存容量を予測する。Ｓ８において渋滞区間走行中のバッテリ１５の残存容量が、車両が渋滞区間を脱出する前に所定値以下となると判定される場合には、Ｓ９にすすんで警告ＥＣＵ３はスピーカ８により警報音を出してユーザに対して警告を行い、Ｓ８において所定値以下にならないと判定される場合には制御を終了する。
【００４３】
Ｓ９において警告を行った後は、Ｓ１０においてナビゲーションＥＣＵ２がディスプレイ８によりユーザが採り得る対処の選択肢を提示し、Ｓ１１においてナビゲーションＥＣＵ２がディスプレイ８により、ユーザが重要度の低い所定の負荷のオフ若しくは消費電力の低減を行わずに渋滞区間を走行した場合に、バッテリ１５の残存容量が所定値以下となる地点を提示し、Ｓ１２においてナビゲーションＥＣＵ２がディスプレイ８によりユーザが重要度の低い所定の負荷のオフ若しくは消費電力の低減を行って渋滞区間を走行した場合に、バッテリ１５の残存容量が所定値以下となる地点を提示する。さらに、ナビゲーションＥＣＵ２が渋滞区間の回避ルートを探索して、ディスプレイ７により回避ルートをユーザに表示し、Ｓ１４において、当該回避ルートがバッテリ１５の残存容量不足を回避するためのものであることを、ディスプレイ７を用いて例えば、図６に示すように「経路ＡＣＪＫＬＯＰＱＢはバッテリの残存容量不足を回避するための回避ルートです」というテキストを表示することにより明示する。
【００４４】
これらのことにより、ユーザは、バッテリ１５の残存容量の不足についての警告を現実に当該残存容量が不足する前に受けることができるので、当該警告をユーザが受けた場合により高い選択自由度の対処を行うことができる。
【００４５】
これとともに、残存容量不足警告装置１の提示、表示に基づき、バッテリ１５の残存容量の不足に対して適切な対処を行うことができるので、よりユーザフレンドリーな車両とすることができる。さらに、重要度の低い所定の負荷のオフ若しくは消費電力の低減についての効果も確認できるとともに、回避ルートについても単なる渋滞区間回避のものではなく、バッテリ１５の残存容量不足に対応するものであることが明示されるので、ユーザが運転するに当たっての違和感や不快感を極力抑制することができる。
【００４６】
なお、本実施例では残存容量不足警告装置１をカーナビゲーションＥＣＵ２と警告ＥＣＵ３を組み合わせて構成したが、カーナビゲーションＥＣＵ２にすべての機能、つまりは残存容量予測手段、警告手段、探索手段、提示手段、表示手段を持たせて、警告ＥＣＵ３を廃した構成とすることもできる。
【００４７】
また本実施例では、カーナビゲーションＥＣＵ２により最短時間あるいは最短距離の経路を探索した後、バッテリ１５の残存容量の不足を予測しているが、本発明に係わる残存容量不足警告装置１の適用はこのケースに限られるものではなく、カーナビゲーションＥＣＵ２の探索機能をオフとした状態でユーザが車両を運転していて、その前方に渋滞区間が存在して進入した場合にも適用することができる。つまり、カーナビゲーションＥＣＵ２により常に渋滞区間の回避ルートを探索してユーザが渋滞区間を回避することを行わない場合には適用可能である。
【実施例２】
【００４８】
図８は、本発明に係る残存容量不足警告装置の一実施形態を示すブロック図であり、図９は本発明に係わる残存容量不足警告装置を適用可能な車両用電源システムを示す模式図である。
【００４９】
残存容量不足警告装置３１は、図示しないエンジンにより駆動される車両に搭載されるバッテリの残存容量の不足をユーザに警告する残存容量不足警告装置であり、渋滞区間を検出する渋滞区間検出手段であるカーナビゲーションＥＣＵ２と、渋滞区間を走行した場合の前記電源の残存容量を予測する残存容量予測手段としての警告ＥＣＵ３とを備え、警告ＥＣＵ３は予測された渋滞区間を走行した場合のバッテリの残存容量が、車両が渋滞区間を脱出する前に所定値以下となる場合にユーザに警告を発する警告手段としても機能する。
【００５０】
カーナビゲーションＥＣＵ２にはＧＰＳ受信アンテナ４と、ＩＭＵ（イナーシャメジャメントユニット）５と、ステアリングセンサ６と、ディスプレイ７と、スピーカ８と、タッチパネル９と、受信器１０と、データベース１１が接続され、さらに、ＡＢＳ（アンチロックブレーキシステム）１２がＣＡＮあるいはＦｒｅｘＲａｙ等の通信規格により接続される。
【００５１】
警告ＥＣＵ３はＣＡＮあるいはＦｒｅｘＲａｙ等の通信規格により前述したカーナビゲーションＥＣＵ２に接続され、図示しないバッテリの状態（電圧、充放電電流、温度、残存容量）を検出する状態検出センサ１３が接続され、重要度の低い所定の負荷のオフを行うオフ手段および消費電力の低減を行う低減手段としての負荷制御ＥＣＵ２３が同じくＣＡＮあるいはＦｒｅｘＲａｙ等の通信規格により接続される。
【００５２】
状態検出センサ１３は、図９に示すような車両用電源システム１４を構成するバッテリ１５に設けられ、バッテリ１５の正極側には図示しないエンジンにより駆動されるオルタネータ１６が接続され、さらに、バッテリ１５の正極側には、負荷となる車載機器、例えば、エンジン制御装置１７、ヘッドライトやテールライト等の灯具制御装置１８、スタータモータ制御装置１９、カーオーディオ装置２０、エアコン装置２１、カーナビゲーション装置２２が接続される。なお各装置の接地側の図示は省略している。
【００５３】
さらに、エンジン制御装置１７、ヘッドライトやテールライト等の灯具制御装置１８、スタータモータ制御装置１９、カーオーディオ装置２０、エアコン装置２１、カーナビゲーション装置２２はそれぞれ、負荷制御ＥＣＵ２３にＣＡＮあるいはＦｒｅｘＲａｙ等の通信規格により接続され、カーオーディオ装置２０、エアコン装置２１およびカーナビゲーション装置のバッテリ１５側にはそれぞれリレーＣＲ１、ＣＲ２、ＣＲ３が設けられる。
【００５４】
なお、それぞれの構成要素の機能については図１に示したものと同一のものについては同じ番号を付して説明は省略する。また、車速、渋滞区間を検出し、自車位置を測定して、渋滞区間を走行中であるかを判定し、バッテリ１５の残存容量と放電電流を検出して、渋滞区間走行中のバッテリ１５の残存容量を予測し、予測した残存容量が、車両が渋滞区間を脱出する前に所定値以下となる場合にはユーザに警告を発するところまでは、図１に示した残存容量不足警告装置１と同一であるのでその説明も省略する。
【００５５】
ここでは、警告ＥＣＵ３がユーザに警告を発した場合に、負荷制御ＥＣＵ２３を動作させて、重要度の低い所定の負荷（ここではカーオーディオ装置２０、エアコン装置２１およびカーナビゲーション装置２２）のオフ若しくは消費電力の低減を自動的に行うかどうかをユーザに報知する報知手段（付加報知手段）としてディスプレイ７あるいはスピーカ８が用いられ、当該報知に対してユーザが負荷制御ＥＣＵ２３の動作の選択を行う選択手段（付加選択手段）としてタッチパネル９が用いられる。
【００５６】
そして、ユーザが負荷制御ＥＣＵ２３の動作の可否つまり重要度の低い所定の負荷のオフ若しくは消費電力の低減を自動的に行うことを可であると判断して、ディスプレイ７あるいはスピーカ８からの報知に対応して、タッチパネル９により負荷制御ＥＣＵ２３の動作を選択すると、負荷制御ＥＣＵ２３からの指令に基づき、重要度の低い所定の負荷の消費電力の低減を行うか、負荷制御ＥＣＵ２３内のスイッチング素子の動作に基づき、重要度の低い所定の負荷であるカーオーディオ装置２０、エアコン装置２１、カーナビゲーション装置２２のオフを行う。ここで、重要度の低い所定の負荷のオフ若しくは消費電力の低減のいずれかを行うかは、渋滞区間走行中のどの位置でバッテリ１５の残存容量が所定値以下になるかにより決定する。つまり、渋滞区間を脱出する地点に近い地点で残存容量が所定値以下になる場合にはオフではなく消費電力の低減を選択すればよい。これは負荷制御ＥＣＵ２３が自動的に判定してもよいし、ユーザが判定してもよい。
【００５７】
以上述べた本発明による残存容量不足警告装置の制御内容を図１０に示すフローチャートを用いて説明する。
【００５８】
Ｓ２１において、警告ＥＣＵ３が車速を検出し、Ｓ２２においてカーナビゲーションＥＣＵ２が渋滞区間を検出し、Ｓ２３においてカーナビゲーションＥＣＵ２が自車の位置を測定する。Ｓ２４において自車の位置と渋滞区間および車速から、自車が渋滞区間を走行中であるかを判定し、走行中であればＳ２５にすすみ、走行中でなければ制御を終了する。Ｓ２５において、警告ＥＣＵ３がバッテリ１５の残存容量を検出し、Ｓ２６においてバッテリ１５の放電電流を検出した後、Ｓ２７において警告ＥＣＵ３が上述した方法を用いて渋滞区間走行中のバッテリ１５の残存容量を予測する。Ｓ２８において渋滞区間走行中のバッテリ１５の残存容量が、車両が渋滞区間を脱出する前に所定値以下となると判定される場合には、Ｓ２９にすすんで警告ＥＣＵ３はスピーカ８により警報音を出してユーザに対して警告を行い、Ｓ２８において所定値以下にならないと判定される場合には制御を終了する。
【００５９】
Ｓ３０において、重要度の低い所定の負荷のオフ若しくは消費電力の低減を負荷制御ＥＣＵ２３が自動的に行うことに対する可否の判断を促す報知をディスプレイ７またはスピーカ８により行い、Ｓ３１にこの報知に応じてユーザがタッチパネル９により負荷制御ＥＣＵ２３の動作を選択すると、Ｓ３２においてユーザの判断が可であると判定されて、Ｓ３３において、重要度の低い所定の負荷のオフ若しくは消費電力の低減が、負荷制御ＥＣＵ２３の動作に基づき自動的に行われる。
【００６０】
本実施例によれば、渋滞区間走行中のバッテリ１５の残存容量が、車両が渋滞区間を脱出する前に所定値以下になる場合に、警告を行うのみならず、ユーザの了解のもとに、重要度の低い所定の負荷のオフ若しくは消費電力の低減を自動的に行うことができるので、ユーザの労力を極力低減することができる。
【００６１】
なお、本実施例においても残存容量不足警告装置３１をカーナビゲーションＥＣＵ２と警告ＥＣＵ３を組み合わせて構成したが、カーナビゲーションＥＣＵ２にすべての機能、つまりは残存容量予測手段、警告手段、探索手段、提示手段、表示手段を持たせて、警告ＥＣＵ３を廃した構成とすることもできる。
【００６２】
以上本発明の好ましい実施例について詳細に説明したが、本発明は上述した実施例に制限されることなく、本発明の範囲を逸脱することなく、上述した実施例に種々の変形および置換を加えることができる。
【産業上の利用可能性】
【００６３】
本発明は、内燃機関により駆動される車両の電源の残存容量の不足を検出してユーザに警告する装置に関するものであり、特には渋滞区間を走行している場合に、残存容量が現実に不足する前にユーザに警告することができるので、乗用車、トラック、バス等の様々な車両に適用して有益なものである。
【図面の簡単な説明】
【００６４】
【図１】本発明に係る残存容量不足警告装置の一実施形態を示すブロック図である。
【図２】本発明に係る残存容量不足警告装置を適用し得る車両用電源システムの一例を示す模式図である。
【図３】渋滞区間と自車との位置関係を示す模式図である。
【図４】本発明に係る残存容量不足警告装置の残存容量の予測方法を示す模式図である。
【図５】本発明に係る残存容量不足警告装置の残存容量の予測方法を示す模式図である。
【図６】本発明に係る残存容量不足警告装置の一実施形態を示す模式図である。
【図７】本発明に係る残存容量不足警告装置の一実施形態の制御内容を示すフローチャートである。
【図８】本発明に係わる残存容量不足警告装置の他の実施形態を示すブロック図である。
【図９】本発明に係る残存容量不足警告装置を適用し得る車両用電源システムの一例を示す模式図である。
【図１０】本発明に係る残存容量不足警告装置の一実施形態の制御内容を示すフローチャートである。
【符号の説明】
【００６５】
１      残存容量不足警告装置案内装置
２      カーナビゲーションＥＣＵ
３      警告ＥＣＵ
４      ＧＰＳアンテナ
５      ＩＭＵ
６      ステアリングセンサ
７      ディスプレイ
８      スピーカ
９      タッチパネル
１０      受信器
１１      データベース
１２      ＡＢＳ
１３      状態検出センサ
１４      車両用電源システム
１５      バッテリ
１６      オルタネータ
１７      エンジン制御装置
１８      灯具制御装置
１９      スタータモータ制御装置
２０      カーオーディオ装置
２１      エアコン装置
２２      カーナビゲーション装置
２３      負荷制御ＥＣＵ
３１      残存容量不足警告装置
【図１】
2007276665.tif 000003
【図２】
2007276665.tif 000004
【図３】
2007276665.tif 000005
【図４】
2007276665.tif 000006
【図５】
2007276665.tif 000007
【図６】
2007276665.tif 000008
【図７】
2007276665.tif 000009
【図８】
2007276665.tif 000010
【図９】
2007276665.tif 000011
【図１０】
2007276665.tif 000012